【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
画像データを符号化する画像符号化装置であって、
画像データに対して可逆符号化処理を行なう可逆符号化処理手段と、
当該可逆符号化処理手段で１ページ分の画像データの可逆符号化処理が終了した後、可逆符号化対象外となった非符号化画像データについて非可逆符号化する非可逆符号化処理手段と、
前記可逆符号化処理手段及び前記非可逆符号化処理手段で得られた可逆符号化データ及び非可逆符号化データを出力する出力手段と
前記可逆符号化処理手段、前記非可逆符号化処理手段を制御する制御手段とを備え、
前記可逆符号化処理手段は、
符号化対象の画像データからタイル単位に入力し、可逆符号化する可逆符号化手段と、
該可逆符号化手段で符号化する対象となったタイルの画像データを非符号化画像データとして一時的に保持するタイルデータ保持手段と、
該タイルデータ保持手段に保持された非符号化データである画像データの画素数を、設定された比率に従って減らすことで解像度変換する第１の解像度変換手段と、
注目タイルの属性情報に基づき、前記可逆符号化手段で生成された可逆符号化データ、前記タイルデータ保持手段に記憶された非符号化画像データのいずれか一方を選択し、前記非可逆符号化処理手段に出力する選択手段とを備え、
前記非可逆符号化処理手段は、
前記選択手段より選択出力された非符号化画像データ、及び、可逆符号化データを蓄積記憶する記憶手段と、
設定要求に応じて、該記憶手段に記憶された非符号化画像データの画素数を予め設定された比率に従って減らすことで解像度を変換し、解像度変換前の非符号化画像データに代えて解像度変換後の非符号化画像データを前記記憶手段に格納する第２の解像度変換手段と、
前記非符号化画像データを非可逆符号化する非可逆符号化手段とを備え、
前記制御手段は、
前記可逆符号化処理手段による１ページの可逆符号化処理中に、前記選択手段が出力する非符号化画像データのタイル数を計数する計数手段と、
該計数手段で計数したタイル数が、互いに異なる複数の閾値の１つ越える度に、第２の解像度変換手段の解像度変換処理を実行させると共に、前記タイル数が前記複数の閾値を越えた回数に応じた比率を前記第１の解像度変換手段に設定し、実行させる解像度設定手段と
を備えることを特徴とする画像符号化装置。
【請求項２】
前記第２の解像度変換手段は前記記憶手段に記憶された非符号化画像データの水平垂直方向の画素数を１／２にし、
前記解像度設定手段は、前記タイル数が前記閾値を越える回数をｋとしたとき、前記第１の解像度変換には（１／２）kを解像度変換比率として設定することを特徴とする請求項１に記載の画像符号化装置。
【請求項３】
前記可逆符号化手段を第１の可逆符号化手段、前記記憶手段を第１の記憶手段と定義したとき、
前記可逆符号化処理手段は、
符号化対象の画像データを、当該画像データの解像度よりも低い複数の解像度に変換し、出力する第３の解像度変換手段と、
前記第３の解像度変換手段で得られた複数の解像度の画像データそれぞれを、タイル単位に可逆符号化し、各解像度毎の可逆符号化データを生成する第２の可逆符号化手段とを更に備え、
前記非可逆符号化処理手段は、
前記第２の可逆符号化手段で生成された各解像度毎の可逆符号化データを記憶する第２の記憶手段と、
前記非可逆符号化手段で生成された非可逆符号化データを、設定されたパラメータに従って再度符号化し、非可逆符号化データを生成する再符号化手段とを備え、
前記制御手段は、
前記第１記憶手段に記憶された非符号化データの総データ量と、目標符号化データ量とに基づき、前記第１の記憶手段及び前記第２の記憶手段中のいずれの可逆符号化データを選択出力するかを判定する可逆符号化データ判定手段と、
該可逆符号化データ判定手段で判定された可逆符号化データのデータ量と前記目標符号化データ量に基づいて目標非可逆符号化データ量を決定し、前記非可逆符号化手段及び前記再符号化手段を制御し、前記目標非可逆符号化データ量以下の非可逆符号化データに生成させる非可逆符号化制御手段とを備える
ことを特徴とする請求項１又は２に記載の画像符号化装置。
【請求項４】
前記可逆符号化処理手段は、
注目タイルの属性に基づき、異なる２種類の解像度のうち高い方か、低い方かを判定する解像度判定手段と、
前記第１、第２の可逆符号化手段それぞれで生成される可逆符号化データを入力し、解像度差が最も小さい２つの可逆符号化データを入力し、前記解像度判定手段の判定結果に基づいて一方の可逆符号化データを選択する複数の可逆符号化選択手段を更に備え、
前記非可逆符号化処理手段は、
前記複数の可逆符号化選択手段で選択された各可逆符号化データそれぞれを記憶する第３の記憶手段を更に備え、
前記可逆符号化データ判定手段は、前記第３の記憶手段をも参照して、選択出力すべき可逆符号化データを判定することを特徴とする請求項３に記載の画像符号化装置。
【請求項５】
前記非可逆符号化処理手段が非可逆符号化処理を開始する際に、可逆符号化処理手段は次のページの画像データに対する可逆符号化処理を開始することを特徴とする請求項１乃至４のいずれか１項に記載の画像符号化装置。
【請求項６】
画像データを符号化する画像符号化装置の制御方法であって、
画像データに対して可逆符号化処理を行なう可逆符号化処理工程と、
当該可逆符号化処理工程で１ページ分の画像データの可逆符号化処理が終了した後、可逆符号化対象外となった非符号化画像データについて非可逆符号化する非可逆符号化処理工程と、
前記可逆符号化処理工程及び前記非可逆符号化処理工程で得られた可逆符号化データ及び非可逆符号化データを出力する出力工程と
前記可逆符号化処理工程、前記非可逆符号化処理工程を制御する制御工程とを備え、
前記可逆符号化処理工程は、
符号化対象の画像データからタイル単位に入力し、可逆符号化する可逆符号化工程と、
該可逆符号化工程で符号化する対象となったタイルの画像データを非符号化画像データとして一時的に保持するタイルデータ保持手段に格納する工程と、
該タイルデータ保持手段に保持された非符号化データである画像データの画素数を、設定された比率に従って減らすことで解像度変換する第１の解像度変換工程と、
注目タイルの属性情報に基づき、前記可逆符号化工程で生成された可逆符号化データ、前記タイルデータ保持手段に記憶された非符号化画像データのいずれか一方を選択し、前記非可逆符号化処理工程に出力する選択工程とを備え、
前記非可逆符号化処理工程は、
前記選択工程より選択出力された非符号化画像データ、及び、可逆符号化データを記憶手段に格納する工程と、
設定要求に応じて、該記憶手段に記憶された非符号化画像データの画素数を予め設定された比率に従って減らすことで解像度を変換し、解像度変換前の非符号化画像データに代えて解像度変換後の非符号化画像データを前記記憶手段に格納する第２の解像度変換工程と、
前記非符号化画像データを非可逆符号化する非可逆符号化工程とを備え、
前記制御工程は、
前記可逆符号化処理工程による１ページの可逆符号化処理中に、前記選択工程が出力する非符号化画像データのタイル数を計数する計数工程と、
該計数工程で計数したタイル数が、互いに異なる複数の閾値の１つ越える度に、第２の解像度変換工程の解像度変換処理を実行させると共に、前記タイル数が前記複数の閾値を越えた回数に応じた比率を前記第１の解像度変換工程に設定し、実行させる解像度設定工程と
を備えることを特徴とする画像符号化装置の制御方法。
【請求項７】
画像データを符号化する画像符号化装置であって、
画像データに対して可逆符号化処理を行なう可逆符号化処理手段と、
当該可逆符号化処理手段で１ページ分の画像データの可逆符号化処理が終了した後、可逆符号化対象外となった非符号化画像データについて非可逆符号化する非可逆符号化処理手段と、
前記可逆符号化処理手段及び前記非可逆符号化処理手段で得られた可逆符号化データ及び非可逆符号化データを出力する出力手段と
前記可逆符号化処理手段、前記非可逆符号化処理手段を制御する制御手段とを備え、
前記可逆符号化処理手段は、
符号化対象であって基準解像度の画像データからタイル画像データを入力し、可逆符号化する可逆符号化手段と、
前記基準解像度のタイル画像データの画素数を減らすことで、互いに異なる複数の解像度のタイル画像データを生成し、前記基準解像度のタイル画像データと共に非符号化画像データ群として出力する解像度変換手段と、
タイルの属性情報に基づき、前記可逆符号化手段で生成された可逆符号化データ、或いは、前記非符号化画像データ群のいずれか一方を選択し、前記非可逆符号化処理手段に出力する選択手段とを備え、
前記非可逆符号化処理手段は、
前記選択手段より選択出力された非符号化画像データ群、及び、可逆符号化データを蓄積記憶する記憶手段と、
前記制御手段より指定された解像度に対応するタイル画像データを非可逆符号化する非可逆符号化手段とを備え、
前記制御手段は、
前記可逆符号化処理手段による１ページの可逆符号化処理中に、前記選択手段より出力される各解像度毎の総タイル画像データ量を計数する計数手段と、
前記可逆符号化処理手段による１ページ分の処理が完了した場合、前記計数手段で計数された各解像度の総タイル画像データ量に基づき、前記可逆符号化処理手段に設定すべき解像度を判定する判定手段と
を備えることを特徴とする画像符号化装置。
【請求項８】
前記判定手段は、前記基準解像度を前記非可逆符号化手段に設定すべき初期候補解像度とし、前記計数手段で計数した各解像度の総タイル画像データ量が予め設定された閾値を越える度に、前記非可逆符号化手段に設定すべき候補解像度を段階的に下げていくことを特徴とする請求項７に記載の画像符号化装置。
【請求項９】
画像データを符号化する画像符号化装置の制御方法であって、
画像データに対して可逆符号化処理を行なう可逆符号化処理工程と、
当該可逆符号化処理工程で１ページ分の画像データの可逆符号化処理が終了した後、可逆符号化対象外となった非符号化画像データについて非可逆符号化する非可逆符号化処理工程と、
前記可逆符号化処理工程及び前記非可逆符号化処理工程で得られた可逆符号化データ及び非可逆符号化データを出力する出力工程と
前記可逆符号化処理工程、前記非可逆符号化処理工程を制御する制御工程とを備え、
前記可逆符号化処理工程は、
符号化対象であって基準解像度の画像データからタイル画像データを入力し、可逆符号化する可逆符号化工程と、
前記基準解像度のタイル画像データの画素数を減らすことで、互いに異なる複数の解像度のタイル画像データを生成し、前記基準解像度のタイル画像データと共に非符号化画像データ群として出力する解像度変換工程と、
タイルの属性情報に基づき、前記可逆符号化工程で生成された可逆符号化データ、或いは、前記非符号化画像データ群のいずれか一方を選択し、前記非可逆符号化処理工程に出力する選択工程とを備え、
前記非可逆符号化処理工程は、
前記選択工程より選択出力された非符号化画像データ群、及び、可逆符号化データを記憶手段に蓄積する工程と、
前記制御工程より指定された解像度に対応するタイル画像データを非可逆符号化する非可逆符号化工程とを備え、
前記制御工程は、
前記可逆符号化処理工程による１ページの可逆符号化処理中に、前記選択工程より出力される各解像度毎の総タイル画像データ量を計数する計数工程と、
前記可逆符号化処理工程による１ページ分の処理が完了した場合、前記計数工程で計数された各解像度の総タイル画像データ量に基づき、前記可逆符号化処理工程に設定すべき解像度を判定する判定工程と
を備えることを特徴とする画像符号化装置の制御方法。
【手続補正２】
【補正対象書類名】明細書
【補正対象項目名】００２５
【補正方法】変更
【補正の内容】
【００２５】
かかる課題を解決するため、例えば本発明の画像符号化装置は以下の構成を備える。すなわち、
画像データを符号化する画像符号化装置であって、
画像データに対して可逆符号化処理を行なう可逆符号化処理手段と、
当該可逆符号化処理手段で１ページ分の画像データの可逆符号化処理が終了した後、可逆符号化対象外となった非符号化画像データについて非可逆符号化する非可逆符号化処理手段と、
前記可逆符号化処理手段及び前記非可逆符号化処理手段で得られた可逆符号化データ及び非可逆符号化データを出力する出力手段と
前記可逆符号化処理手段、前記非可逆符号化処理手段を制御する制御手段とを備え、
前記可逆符号化処理手段は、
符号化対象の画像データからタイル単位に入力し、可逆符号化する可逆符号化手段と、
該可逆符号化手段で符号化する対象となったタイルの画像データを非符号化画像データとして一時的に保持するタイルデータ保持手段と、
該タイルデータ保持手段に保持された非符号化データである画像データの画素数を、設定された比率に従って減らすことで解像度変換する第１の解像度変換手段と、
注目タイルの属性情報に基づき、前記可逆符号化手段で生成された可逆符号化データ、前記タイルデータ保持手段に記憶された非符号化画像データのいずれか一方を選択し、前記非可逆符号化処理手段に出力する選択手段とを備え、
前記非可逆符号化処理手段は、
前記選択手段より選択出力された非符号化画像データ、及び、可逆符号化データを蓄積記憶する記憶手段と、
設定要求に応じて、該記憶手段に記憶された非符号化画像データの画素数を予め設定された比率に従って減らすことで解像度を変換し、解像度変換前の非符号化画像データに代えて解像度変換後の非符号化画像データを前記記憶手段に格納する第２の解像度変換手段と、
前記非符号化画像データを非可逆符号化する非可逆符号化手段とを備え、
前記制御手段は、
前記可逆符号化処理手段による１ページの可逆符号化処理中に、前記選択手段が出力する非符号化画像データのタイル数を計数する計数手段と、
該計数手段で計数したタイル数が、互いに異なる複数の閾値の１つ越える度に、第２の解像度変換手段の解像度変換処理を実行させると共に、前記タイル数が前記複数の閾値を越えた回数に応じた比率を前記第１の解像度変換手段に設定し、実行させる解像度設定手段とを備える。
【手続補正３】
【補正対象書類名】図面
【補正対象項目名】図２０
【補正方法】変更
【補正の内容】
【図２０】
2007235759.tif 000001